(57)【要約】【課題】グローバル着信するターミナルアダプタに複数の通信回線を接続可能な装置において他方の回線に接続されたモデムはその状態を検出した後、使用可能な状態に戻す。【解決手段】ＤＳＵ３０の外線接続端子にはＩＳＤＮ回線Ｌが接続され、ＤＳＵ３０のバス配線側端子にはグローバル着信の設定を有するターミナルアダプタ４０のバス配線側端子が接続される。ターミナルアダプタ４０の２つのアナログ回線接続端子４１ａ，４１ｂはそれぞれファクシミリ装置２０の外線接続端子１５ａ，１５ｂに接続される。ファクシミリ装置２０の主制御部１は、外線接続端子１５ａ，１５ｂで着信呼び出し信号を検出し（ステップＳ１，Ｓ７）、発信電話番号情報サービスにより発信電話番号を受信し（ステップＳ４−Ｓ５）、受信した２つの発信電話番号が同一であるとき（ステップＳ１３でＹＥＳ）一方の通信回線では着信しないように制御する（ステップＳ１４，Ｓ１６）。【選択図】  図３
2004235856.tif 000002
【特許請求の範囲】
【請求項１】
グローバル着信するターミナルアダプタに複数の通信回線を接続可能な通信端末装置において、複数の通信回線において着信呼び出し信号を検出し、複数の通信回線において発信電話番号情報サービスにより発信電話番号を受信し、上記受信した複数の発信電話番号が同一であるとき、１つの通信回線では着信するが、他の通信回線では着信しないように制御する制御手段を備えたことを特徴とする通信端末装置。
【請求項２】
上記ターミナルアダプタは、加入者線終端装置（ＤＳＵ）を介してＩＳＤＮ回線に接続されたことを特徴とする請求項１記載の通信端末装置。
【請求項３】
上記通信端末装置はファクシミリ装置であることを特徴とする請求項１又は２記載の通信端末装置。
【発明の詳細な説明】
【０００１】
【発明の属する技術分野】
本発明は、グローバル着信するターミナルアダプタに複数の通信回線を接続可能な、例えばファクシミリ装置などの通信端末装置に関する。
【０００２】
【従来の技術】
従来より、２つの公衆電話回線（ＰＳＴＮ）を接続可能なファクシミリ装置が実用化されている。例えば、特許文献１においては、１つの回線による通信中に他の回線により着信があった場合に、他の回線を保留して１つの回線による通信の終了後に、他の回線による通信を可能にするとともに、１つの回線による通信残時間が長い場合には他の回線を直ちに開放することが開示されている。
【０００３】
【特許文献１】
特開平５−３０２５５号公報。
【０００４】
【発明が解決しようとする課題】
上述のファクシミリ装置の２つの公衆電話回線接続用端子（モジュラー・ジャック）に、グローバル着信する設定を有するターミナルアダプタ及びＤＳＵ（加入者線終端装置：Ｄｉｇｉｔａｌ  Ｓｅｒｖｉｃｅ  Ｕｎｉｔ）を介して、基礎インターフェースのＩＳＤＮ回線（２Ｂ＋Ｄチャンネル）を接続した場合に、１つの着信呼があったときに、グローバル着信により、２つの回線ともに着信してしまい、一方の回線に接続されたファックスモデムを用いてファクシミリ通信を行うことができるが、他方の回線に接続されたファックスモデムは通信エラーとなり、Ｔ１タイマーが計時している間は、当該他方の回線は使用できない状態が続くという問題点があった。
【０００５】
本発明の目的は以上の問題点を解決し、グローバル着信するターミナルアダプタに複数の通信回線を接続可能な通信端末装置において、他の回線に接続されたファックスモデムはその状態を検出した後、使用可能な状態に戻すことができる、ファクシミリ装置などの通信端末装置を提供することにある。
【０００６】
【課題を解決するための手段】
本発明に係る通信端末装置は、グローバル着信するターミナルアダプタに複数の通信回線を接続可能な通信端末装置において、複数の通信回線において着信呼び出し信号を検出し、複数の通信回線において発信電話番号情報サービスにより発信電話番号を受信し、上記受信した複数の発信電話番号が同一であるとき、１つの通信回線では着信するが、他の通信回線では着信しないように制御する制御手段を備えたことを特徴とする。
【０００７】
また、上記通信端末装置において、上記ターミナルアダプタは、加入者線終端装置（ＤＳＵ）を介してＩＳＤＮ回線に接続されたことを特徴とする。
【０００８】
さらに、上記通信端末装置において、上記通信端末装置はファクシミリ装置であることを特徴とする。
【０００９】
【発明の実施の形態】
以下、図面を参照して本発明に係る実施形態について説明する。
【００１０】
＜実施形態＞
図１は、本発明に係る実施形態である、２回線接続機能を有するファクシミリ装置２０並びに、その周辺装置であるＤＳＵ３０及びターミナルアダプタ４０の構成を示すブロック図である。
【００１１】
図１において、ＤＳＵ３０の外線接続端子には、例えばＮＴＴなどの電気通信事業者の市内交換機が接続されたＩＳＤＮ回線Ｌ（メタルのペアケーブル）が接続される一方、ＤＳＵ３０のバス配線側端子には、Ｓ／Ｔ点３５を介して、グローバル着信の設定を有するターミナルアダプタ４０のバス配線側端子が接続されている。また、ターミナルアダプタ４０の２つのアナログ回線接続端子４１ａ，４１ｂはそれぞれ、ファクシミリ装置２０の外線接続端子１５ａ，１５ｂに接続されている。ここで、外線接続端子１５ａは、ＮＣＵ（ネットワーク制御回路：Ｎｅｔｗｏｒｋ  Ｃｏｎｔｒｏｌ  Ｕｎｉｔ）１１ｂを介してファックスモデム１０ａに接続され、外線接続端子１５ｂは、ＮＣＵ１１ｂを介してファックスモデム１０ｂに接続されている。ここで、ＤＳＵ３０は、デジタル回線ＩＳＤＮ回線Ｌとターミナルアダプタ４０との間に挿入されるインターフェース装置であって、ＩＳＤＮ回線Ｌとの同期や速度変換などを行う装置である。また、ターミナルアダプタ４０は、ＤＳＵ３０に、従来のアナログ公衆電話回線（ＰＳＴＮ）で利用してきた電話機やファクシミリ装置、モデム、パソコンなどを接続するために、信号変換などを行うインターフェース装置であって、本実施形態では、ターミナルアダプタ４０にファクシミリ装置２０が接続されている。
【００１２】
以上のように接続されたファクシミリ装置２０の主制御部１は、２つの通信回線（ターミナルアダプタ４０の２つのアナログ回線接続端子４１ａ，４１ｂは擬似的な２つの公衆電話回線を構成するので、以下、このようにいう。）に接続される外線接続端子１５ａ，１５ｂにおいて着信呼び出し信号を検出し（図２のステップＳ１，Ｓ７）、２つの外線接続端子１５ａ，１５ｂにおいて発信電話番号情報サービスにより発信電話番号を受信し（ステップＳ４−Ｓ５）、２つの外線接続端子１５ａ，１５ｂにおいて受信した２つの発信電話番号が同一であるとき（図３のステップＳ１３でＹＥＳ）、片一方の通信回線では着信しないように制御する（ステップＳ１４，Ｓ１６）ことを特徴としている。
【００１３】
図１において、ファクシミリ装置２０は、従来のＧ３方式等のファクシミリ通信機能を備えるとともに、２回線接続機能を有している。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１４】
操作部５は、当該ファクシミリ装置２０を操作するために必要なキーを備え、具体的には、テンキー、ワンタッチキー及び各種のファンクションキー等を備える。ここで、テンキーは、”０”から”９”までの１桁の数字キーと、＊キー（アスタリスクキー）と、＃キー（シャープキー）とからなる。なお、上述の表示部４の少なくとも一部をタッチパネル方式とすることにより、この操作部５の各種キーの内の一部又は全部を代用するように構成してもよい。
【００１５】
ＲＯＭ６は、当該ファクシミリ装置２０の動作に必要であって主制御部１によって実行される種々のソフトウェアのプログラムを予め格納し、ここで、当該プログラムは、少なくとも図２の着信制御処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１６】
各ファックスモデム１０ａ，１０ｂはそれぞれ、通常のファクシミリ通信用のファックスモデムの機能を有するモデムであり、ＦＳＫ信号として受信される発信電話番号情報のデータを復調して主制御部１に出力する。各ＮＣＵ１１ａ，１１ｂはそれぞれ、ターミナルアダプタ４０及びＤＳＵ３０を介してＩＳＤＮ回線Ｌに接続され、ターミナルアダプタ４０のアナログ接続端子４１ａ，４１ｂのターミナルアダプタ装置側以降が擬似的なアナログの公衆電話回線となる各通信回線に関して、直流ループなどの閉結及び開放の動作を行いかつ自動ダイヤル機能を有するハードウェア回路であり、必要に応じてファックスモデム１０ａ，１０ｂをそれぞれターミナルアダプタ４０のアナログ接続端子４１ａ，４１ｂに接続する。ここで、ＮＣＵ１１ａ，１１ｂは、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。
【００１７】
以上のように構成された本実施形態のファクシミリ装置２０は、通常のＧ３方式等のファクシミリ通信機能に加えて、２回線接続機能とを有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１８】
図２及び図３は、図１の主制御部１によって実行される着信制御処理を示すフローチャートである。なお、この着信制御処理は、ファックスモデム１０ａ，１０ｂ毎に実行される。
【００１９】
図２において、まず、ステップＳ１において１６Ｈｚの着信信号を検出したか否かが判断され、ＹＥＳとなるまでステップＳ１の処理を繰り返し、ＹＥＳのときに、ステップＳ２において１６Ｈｚの着信信号はメーク率が５０％か否かが判断され、すなわち発信電話番号通知サービスによる受信であるか否かが判断される。ステップＳ２でＹＥＳのときはステップＳ３に進む一方、ＮＯのときはステップＳ７に進む。ステップＳ３において交換機との間で直流ループを形成して１次応答信号を送信し、ステップＳ４において、電気通信事業者が発信電話番号通知サービスに基づいて交換機に予め登録した発信電話番号情報を検出したか否かが判断される。ステップＳ４でＹＥＳのときはステップＳ５に進む一方、ＮＯであるときはステップＳ１０で７秒間待機して交換機のタイムアウトを待ち、図３のステップＳ１５で回線開放して当該着信処理を終了する。
【００２０】
図２のステップＳ５において発信電話番号情報をＲＡＭ７内の一時メモリ（図示せず。）に格納し、ステップＳ６において直流ループを断として受信完了信号を送信した後、ステップＳ７において呼出信号を検出したか否かが判断され、ステップＳ８においてオフフックしたか否かが判断される。ステップＳ７及びＳ８ではＹＥＳとなるまでその処理が繰り返され、ともにＹＥＳのときは、ステップＳ９において交換機との間で直流ループを形成して２次応答信号を送信して図３のステップＳ１１に進む。
【００２１】
図３のステップＳ１１において、着信ベル回数は所定数だけ鳴動したか否かが判断され、ＹＥＳとなるまでステップＳ１１の処理を繰り返し、ＹＥＳとなったとき、ステップＳ１２において、先に着信した他回線がＣＩ信号を検出中であるか否かを判断し、ＹＥＳのときはステップＳ１３に進む一方、ＮＯのときはステップＳ１６に進む。次いで、ステップＳ１３において、当該回線と他回線とで検出した発信電話番号は同一であるか否かが判断され、ＹＥＳのときはステップＳ１４に進む一方、ＮＯのときはステップＳ１６に進む。さらに、ステップＳ１４において、当該回線で着信しないと判断した後、ステップＳ１５で回線開放して、当該処理を終了する。一方、ステップＳ１６では、当該回線で着信すると判断し、ステップＳ１７でファクシミリの画像データの受信及びそのプリントなどの処理を実行するファクシミリ着信処理を行なった後、ステップＳ１５で回線開放して、当該処理を終了する。
【００２２】
以上説明したように本実施形態によれば、ファクシミリ装置２０の主制御部１は、２つの通信回線に接続される外線接続端子１５ａ，１５ｂにおいて着信呼び出し信号を検出し（図２のステップＳ１，Ｓ７）、２つの外線接続端子１５ａ，１５ｂにおいて発信電話番号情報サービスにより発信電話番号を受信し（ステップＳ４−Ｓ５）、２つの外線接続端子１５ａ，１５ｂにおいて受信した２つの発信電話番号が同一であるとき（図３のステップＳ１３でＹＥＳ）、片一方の通信回線では着信しないように制御する（ステップＳ１４，Ｓ１６）。従って、１つの着信呼があったときに、グローバル着信により２つの回線ともに着信し、一方の回線に接続されたファックスモデムを用いてファクシミリ通信を行うことができる一方、他方の回線に接続されたファックスモデムは上述の制御により、直ちに回線開放となるので、当該他方の回線は使用できない状態が続くことを防止し、直ちに使用可能な状態とできる。これにより、当該他方の回線に別の着信呼があっても着信できる。
【００２３】
＜変形例＞
以上の実施形態においては、ファクシミリ装置２０の例について述べているが、本発明はこれに限らず、公衆電話網又は公衆デジタル通信回線網などの公衆網に接続された、例えば電話機、データ通信装置などを含む通信端末装置に適用することができる。すなわち、例えば、ファックスモデム１０ａ，１０ｂは、例えばパーソナルコンピュータに内蔵するものであってもよい。
【００２４】
以上の実施形態においては、ＤＳＵ３０と、ターミナルアダプタ４０とを別々の装置で構成しているが、例えば、ＤＳＵ付きターミナルアダプタで構成してもよい。
【００２５】
以上の実施形態においては、ターミナルアダプタ４０と、ファクシミリ装置２０との間は２つの通信回線で接続しているが、本発明はこれに限らず、３本以上の複数の通信回線で接続してもよい。この場合、ターミナルアダプタ４０は３個以上のアナログ回線接続端子を有し、ファクシミリ装置２０は３個以上の外線接続端子を有する。そして、主制御部１は、複数の通信回線で着信があったときに、１つの通信回線で着信するが、他の通信回線で着信しないように制御する。
【００２６】
【発明の効果】
以上詳述したように、本発明に係る通信端末装置によれば、グローバル着信するターミナルアダプタに複数の通信回線を接続可能な通信端末装置において、複数の通信回線において着信呼び出し信号を検出し、複数の通信回線において発信電話番号情報サービスにより発信電話番号を受信し、上記受信した複数の発信電話番号が同一であるとき、１つの通信回線では着信するが、他の通信回線では着信しないように制御する制御手段を備える。従って、１つの着信呼があったときに、グローバル着信により複数の回線ともに着信し、１つの通信回線を用いて通信を行うことができる一方、他の通信回線は上述の制御により、直ちに回線開放となるので、当該他の通信回線は使用できない状態が続くことを防止し、直ちに使用可能な状態とできる。これにより、当該他の通信回線に別の着信呼があっても着信できる。
【図面の簡単な説明】
【図１】本発明に係る実施形態である、２回線接続機能を有するファクシミリ装置２０並びに、その周辺装置であるＤＳＵ３０及びターミナルアダプタ４０の構成を示すブロック図である。
【図２】図１の主制御部１によって実行される着信制御処理の第１の部分を示すフローチャートである。
【図３】図１の主制御部１によって実行される着信制御処理の第２の部分を示すフローチャートである。
【符号の説明】
１…主制御部、
２…画像読取部、
３…画像記録部、
４…表示部、
５…操作部、
６…ＲＯＭ、
７…ＲＡＭ、
８…画像メモリ、
１０ａ，１０ｂ…ファックスモデム、
１１ａ，１１ｂ…ＮＣＵ、
１３…バス、
１５ａ，１５ｂ…外線接続端子１５ａ，１５ｂ、
２０…ファクシミリ装置、
３０…ＤＳＵ、
３５…Ｓ／Ｔ点、
４０…ターミナルアダプタ、
４１ａ，４１ｂ…アナログ回線接続端子、
Ｌ…ＩＳＤＮ回線。
【図１】
2004235856.tif 000003
【図２】
2004235856.tif 000004
【図３】
2004235856.tif 000005